(57)【特許請求の範囲】
【請求項１】
薄型の装置本体の両側部にそれぞれ薄型のスピーカ部を備えてなるスピーカ一体型オーディオ装置において、
前記スピーカ部は、その幅が前記装置本体の幅の半分に設定されており、かつ、装置本体の背面に当接する位置と、装置本体の正面とほぼ面一となる位置との間で回動可能になるように、前記装置本体の側部に取り付けられており、前記装置本体の正面に、再生媒体または再生録音媒体を装置本体内へ挿入する挿入扉と、装置本体内に内蔵されている再生または再生録音装置の再生・録音状況を表示する表示部とが設けられており、
前記装置本体の背面上部には、取手部が装置本体の上方側と、装置本体の背面側との間で上下に回動可能に取り付けられており、前記取手部を装置本体の背面側の所定位置で回動不能に保持する保持手段とを備え、この保持手段は、前記装置本体の背面に回動可能に設けられ、前記取手部を装置本体の背面側の所定位置で回動不能にするべく、前記取手部に係合する保持部材で構成され、前記装置本体の背面には、前記保持部材の先端部をはめ込んで係合させる溝が設けられていることを特徴とするスピーカ一体型オーディオ装置。
【請求項２】
請求項１記載のスピーカ一体型オーディオ装置において、
前記スピーカ部の背面には、該スピーカ部が前記装置本体の背面に当接した際に、前記取手部が入り込み可能な溝が形成されていることを特徴とするスピーカ一体型オーディオ装置。
【請求項３】
請求項１または２に記載のスピーカ一体型オーディオ装置において、前記挿入扉は、その下端部を支点として上下に回動可能となるようにして、前記装置本体に取り付けられていることを特徴とするスピーカ一体型オーディオ装置。
【発明の詳細な説明】
【０００１】
【発明の属する技術分野】
本発明は、オーディオ装置に関し、詳細にはスピーカ一体型オーディオ装置に関する。
【０００２】
【従来の技術】
近年、ＣＤ再生装置とＭＤ録音再生装置との双方を備えたオーディオ装置が提供されている。このオーディオ装置としては、携帯型と据置型の両方があり、携帯型の場合には、スピーカ部がオーディオ装置の装置本体と一体となっており、据置型の場合には、スピーカ部がオーディオ装置の装置本体と別体となっている。
【０００３】
【発明が解決しようとする課題】
ところで、前記携帯型のオーディオ装置の装置本体には、ＣＤ再生装置やＭＤ再生録音装置部等の装置部、この装置部の再生・録音状況を表示する表示部、前記装置部の操作部、ＣＤ挿入扉やＭＤ挿入扉等の媒体挿入扉等が備えられている。
また、スピーカ部は、通常、装置本体の両側部に、該装置本体と一体的に設けられている。スピーカ部は比較的厚いので、このスピーカ部の厚さに合わせて装置本体の厚さが設定されており、このため、装置本体が比較的厚くなっている。
したがって、装置本体をなるべくコンパクトにする場合、この装置本体の上面部に、前記表示部、操作部、媒体挿入部等を配置した方が、装置本体の高さが高くならず有利であるが、装置本体を薄型にすると、表示部、操作部、媒体挿入扉等を配置するスペースを装置本体の上面に確保することができない。
一方、オーディオ装置を薄型化する場合、装置本体とともに、スピーカ部を薄型化する必要があるが、スピーカ部はその音響性等から２つ設けられ、かつ、所定間隔離れて配置される方が望ましいので、装置本体の両側部に配置される必要がある。このため、オーディオ装置の薄型化は図れても、オーディオ装置の幅を狭くするのに限界があり、その結果、オーディオ装置のコンパクト化が十分に図り難く、携帯性が十分ではなかった。
本発明は上記事情に鑑みてなされたものであり、その課題は、薄型でかつ十分な携帯性を備えたスピーカ一体型オーディオ装置を提供しようとするものである。
【０００４】
【課題を解決するための手段】
上記課題を解決するために、請求項１記載の発明は、例えば図１および図２に示すように、薄型の装置本体２の両側部にそれぞれ薄型のスピーカ部３を備えてなるスピーカ一体型オーディオ装置１において、前記スピーカ部３は、その幅ｌが前記装置本体２の幅Ｌの半分に設定されており、かつ、装置本体２の背面に当接する位置と、装置本体２の正面とほぼ面一となる位置との間で回動可能になるように、前記装置本体２の側部に取り付けられており、前記装置本体２の正面に、再生媒体または再生録音媒体を装置本体２内へ挿入する挿入扉と、装置本体２内に内蔵されている再生または再生録音装置の再生・録音状況を表示する表示部６とが設けられており、
前記装置本体２の背面上部には、取手部１６が装置本体２の上方側と、装置本体２の背面側との間で上下に回動可能に取り付けられており、前記取手部１６を装置本体２の背面側の所定位置で回動不能に保持する保持手段とを備え、この保持手段は、前記装置本体２の背面に回動可能に設けられ、前記取手部１６を装置本体２の背面側の所定位置で回動不能にするべく、前記取手部１６に係合する保持部材１７で構成され、前記装置本体２の背面には、前記保持部材１７の先端部をはめ込んで係合させる溝１７ｃが設けられていることを特徴としている。
【０００５】
請求項１記載の発明によれば、薄型のスピーカ部は、薄型の装置本体の正面とほぼ面一となる位置から、前記装置本体の背面に当接するべく回動可能である。また、スピーカ部の幅が前記装置本体の半分に設定されているため、前記装置本体の両側部のスピーカ部どうしが相互に触突することなく、逆に、スピーカ部どうしの間に無駄な空間を生じさせることなく、それぞれ前記装置本体の背面に当接する。
これにより、オーディオ装置を使用する場合においては、スピーカ部を前記装置本体の正面とほぼ面一となる位置とすることにより、２つのスピーカ部どうしが所定間隔離れた位置となるため、オーディオ装置の音響性が満足される。また、オーディオ装置を持ち運ぶ場合においては、前記スピーカ部を前記装置本体の背面に当接させた位置とすることにより、使用時のオーディオ装置全体の幅の半分の幅とすることができる。
さらに、再生媒体や再生記録媒体を装置本体内へ挿入する挿入扉と、装置本体内に内蔵されている再生または再生録音装置の再生・録音状況を表示する表示部とが、装置本体の前面に設けられている。これにより、前記挿入扉や前記表示部が装置本体の高さ方向に確保されることになるため、装置本体の形状を確実に薄型とすることができる。したがって、上記のように、装置本体の両側部の薄型のスピーカ部を装置本体の背面に当接させた状態においても、オーディオ装置を薄型とすることができる。
以上より、使用時の音響性を満足させながら、携帯性にも優れたオーディオ装置とすることができる。
【０００６】
なお、前記再生媒体としては、例えばＣＤ（コンパクトディスク）等があり、さらに前記再生録音媒体としては、例えばＭＤ（ミニディスク）やカセットテープ等がある。また、オーディオ装置としては、さらにチューナを備えているものもある。
【０００８】
また、スピーカ部を装置本体の正面とほぼ面一となる位置まで開いて、装置本体をテーブル等の載置面に載置する際において、取手部を装置本体の背面側に回動させた上で、保持手段によって、装置本体の背面側の所定位置で回動不能に保持する。これによって、装置本体はその下部と取手部とによって前記載置面上で起立した状態で支持されるので、スピーカ一体型オーディオ装置を安定的に載置できる。一方、取手部を装置本体の上方側まで回動させることによって、スピーカ一体型オーディオ装置を容易に携帯できる。携帯する場合は、前記スピーカ部を装置本体の背面に当接する位置まで閉じてもよいし、開いたままの状態でもよい。
【００１０】
請求項２記載の発明は、請求項１記載のスピーカ一体型オーディオ装置において、
前記スピーカ部の背面には、該スピーカ部が前記装置本体の背面に当接した際に、前記取手部が入り込み可能な溝が形成されていることを特徴としている。
請求項３記載の発明は、請求項１または２に記載のスピーカ一体型オーディオ装置１において、前記挿入扉は、その下端部を支点として上下に回動可能となるようにして、前記装置本体２に取り付けられていることを特徴としている。
【００１１】
請求項３記載の発明によれば、前記挿入扉が、その下端部を支点として上下に回動可能に取り付けられているため、前記挿入扉は、その上方から前方にかけて開口を発生させるべく開扉する。したがって、前記開口から前記再生媒体または前記再生録音媒体を容易に出し入れをすることができる。
【００１４】
【発明の実施の形状】
以下、本発明に係るスピーカ一体型のオーディオ装置の実施形態について詳細に説明する。先ず、前記オーディオ装置の、主に構成等について説明する。
【００１５】
図１〜図３において、符号１はオーディオ装置を示す。
図１は、本発明に係るオーディオ装置１の、スピーカ部３が装置本体２の背面に当接する位置にある状態を示す図であり、（ａ）は前方からの斜視図、（ｂ）は後方からの斜視図、（ｃ）は側面図である。
また、図２は、本発明に係るオーディオ装置１の、スピーカ部３が装置本体２の正面とほぼ面一となる位置にある状態を示す図であり、（ａ）は前方からの斜視図、（ｂ）は後方からの斜視図、（ｃ）は側面図である。
さらに、図３は、本発明に係るオーディオ装置１の、再生媒体としてのＣＤ、再生録音媒体としてのＭＤ、をそれぞれ出し入れするための、ＣＤ挿入扉４、ＭＤ挿入扉５が開いた状態を示す、前方からの斜視図である。
【００１６】
図１および図２において、オーディオ装置１は、装置本体２と、前記装置本体２の両側部に回動可能に設けられているスピーカ部３等を備えている。
さらに前記装置本体２には、ＣＤ再生装置、ＭＤ再生録音装置、チューナ等が備えられている。
【００１７】
前記装置本体２の前面には、前記ＣＤ再生装置のＣＤ挿入扉４、前記ＭＤ再生録音装置のＭＤ挿入扉５、ＣＤ、ＭＤの再生・録音状況を表示する表示部６、装置本体の電源ボタン７、ＣＤ、ＭＤ、チューナ等を切り換える切換ボタン部８、ＭＤ挿入扉開扉ボタン９等が設けられている。また、前記ＭＤ挿入扉５には、様々な操作を行うための操作ボタン部１０が設けられている。
【００１８】
前記装置本体２の上面には、ＣＤ挿入扉開扉ボタン１１、配線により外部機器と接続するためのジャック部１２、様々な操作設定に用いられる設定ボタン部１３、ボリューム調整つまみ１４、チューナ用のアンテナ１５等が設けられている。
【００１９】
前記装置本体２の背面上部には、取手部１６が、該取手部１６の先端部が真上を向く位置から、前記取手部１６が前記装置本体２の背面に当接して前記取手部１６の先端が真下を向く位置まで回動可能に設けられている。前記取手部１６には回転軸を含む回動部１６ａが備えられており、前記回動部１６ａが、前記装置本体２に設けられている回動部受１９に挿入されている。
また、前記装置本体２の背面下部の中央部には、前記保持部材１７が、取付部１７ａにおいて、上下に回動可能に設けられている。
前記装置本体２の背面上部の両側部には、木ネジ等が挿入されるための挿入穴２０が設けられている。
さらに、前記挿入穴２０の一方には、前記取手部１６に対し、該取手部１６の先端部が真上を向いた位置で保持させるべく作用する突起部２１が設けられている。
【００２０】
前記装置本体２の両側部には、スピーカ部３が、装置本体２の正面とほぼ面一となる位置から、前記装置本体２の背面に当接する位置まで回動可能に設けられている。前記スピーカ部３には、回動部３ａが設けられており、回転軸となっている前記回動部３ａの上端部および下端部が、前記装置本体２に設けられている回動部受１８に挿入されている。そして、前記回動部３ａと前記回動部受１８とは、相互に作用して、前記スピーカ部３を前記装置本体２の正面とほぼ面一となる位置、および、前記装置本体２の背面に当接する位置において、それらの位置を保持させるように作用する構造となっている。
また、スピーカ部３の背面には、部分的に溝３ｂが形成されている。
【００２１】
また、図３に示すように、前記装置本体２の前面には、前記ＣＤ再生装置のＣＤ挿入扉４、前記ＭＤ再生録音装置のＭＤ挿入扉５が、それらの下端部を支点として上下に回動可能となるように設けられている。前記ＣＤ挿入扉４および前記ＭＤ挿入扉５の取り付け部には、それぞれＣＤ挿入扉回動部４ａ、図示しないＭＤ挿入扉回動部が設けられている。ＣＤ挿入扉４は、該ＣＤ挿入扉４を開扉させた場合、オーディオ装置１の載置面とほぼ平行となるまで開扉するように設計されている。また、ＭＤ挿入扉５は、該ＭＤ挿入扉５を開扉させた場合、ＭＤが交換可能となる比較的小さな範囲において開扉するように、すなわち比較的小さな開口を形成するように設計されている。さらに、ＣＤ挿入扉回動部４ａには、前記ＣＤ挿入扉４を開扉させるための回転ばね４ｂ、さらに前記ＣＤ挿入扉４の開扉する際のスピードを減衰させるためのオイルダンパ４ｃが設けられている。そして、前記オイルダンパ４ｃは、オーディオ装置１を斜め後方に傾斜させ、取手部１６で該オーディオ装置１を後方から支持させて載置させた場合を想定して設計されている。すなわち、前記斜め後方に傾斜させて載置させたオーディオ装置１において、前記ＣＤ挿入扉４を開扉させた場合に、前記ＣＤ挿入扉４が程良いスピードで緩やかに開扉するように設計されている。
【００２２】
次に、前記オーディオ装置の使用方法について説明する。
先ず、前記オーディオ装置１を載置面に載置して音楽を聴いたりする場合等について説明する。図２に示すように、前記オーディオ装置１の両側部に設けられたスピーカ部３を、前記装置本体２の正面とほほ面一となる位置とする。前記取手部１６を、該取手部１６の先端部を前記保持部材１７の先端部に設けられた２つの突起部１７ｂで挟み込むことによって、前記装置本体２の背面側の所定位置で回動不能とさせる。さらに、前記オーディオ装置１を斜め後方に傾斜させ、前記取手部１６の先端部と前記装置本体２およびスピーカ部３の底面の一部とを載置面に当接させることにより、載置面に安定的に載置させた上で、音楽等を聴けばよい。
【００２３】
そして、ＣＤやＭＤによって音楽を聴く場合は、ＣＤ挿入扉開扉ボタン１１、ＭＤ挿入扉開扉ボタン９を摺動させることにより、それぞれ前記ＣＤ挿入扉４や前記ＭＤ挿入扉５を開扉し、ＣＤやＭＤを挿入したり交換したりすればよい。
【００２４】
次に、前記オーディオ装置１を壁に掛けて音楽を聴いたりする場合等について説明する。前記オーディオ装置１の両側部に設けられたスピーカ部３を、前記装置本体２の正面とほほ面一となる位置とする。前記取手部１６を、その先端部が真上を向く位置、あるいは真下を向く位置とする。この際、前記保持部材１７は前記装置本体２の背面に当接する位置とし、前記保持部材１７の先端部に設けられた２つの突起部１７ｂを前記装置本体２の背面に設けられた溝１７ｃにはめ込んで係合させておく。そして、壁等に予め設けられた木ネジ等の突起状のものを、装置本体２の背面の両側部に設けられている挿入穴２０に挿入することによって、前記オーディオ装置１を壁に安定的に支持させた上で、音楽等を聴けばよい。
【００２５】
次に、前記オーディオ装置１を携帯する場合等について説明する。図１に示すように、取手部１６をその先端部が真上を向く位置とする。この際、前記保持部材１７は前記装置本体２の背面に当接する位置とし、前記保持部材１７の先端に設けられた２つの突起部１７ｂを前記装置本体２の背面に設けられた溝１７ｃにはめ込んで係合させておく。次に、前記オーディオ装置１の両側部に設けられたスピーカ部３を、装置本体２の背面に当接する位置とする。そして、装置本体２の上部に位置する取手部１６を把持して携帯すればよい。
【００２６】
さらに、前記オーディオ装置１を引き出し等に収納する場合等について説明する。先ず、取手部１６をその先端部が真下を向いた位置とする。この際、前記保持部材１７は前記装置本体２の背面に当接する位置とし、前記保持部材１７の先端に設けられた２つの突起部１７ｂを前記装置本体２の背面に設けられた溝１７ｃにはめ込んで係合させておく。次に、前記オーディオ装置１の両側部に設けられたスピーカ部３を、装置本体２の背面に当接する位置とする。そして、直方体状となった前記オーディオ装置１を引き出し等に収納すればよい。
【００２７】
本実施の形態によれば、以下のような効果を得ることができる。
▲１▼オーディオ装置を使用して音楽等を聴く場合には、前記スピーカ部３を前記装置本体２の正面とほほ面一となる位置とすることにより、２つのスピーカ部３が所定間隔離れた位置となり、オーディオ装置１の音響性を満足させることができる。
このうちオーディオ装置１を載置面に載置させて使用する場合には、前記取手部１６を前記保持部材１７によって、前記装置本体２の背面側の所定位置で回動不能とし、さらに、前記オーディオ装置１を斜め後方に傾斜させ、前記取手部１６の先端部と前記装置本体２およびスピーカ部３の底面の一部とを載置面に当接させる。以上によりオーディオ装置１を載置面に安定的に載置させることができる。
またオーディオ装置１を壁に掛けて使用する場合には、壁等に予め木ネジ等の突起状のものを設けておき、前記突起状のものを装置本体２の背面の両側部に設けられている挿入穴２０に挿入することによって、前記オーディオ装置１を壁に安定的に支持させることができる。
また、前記オーディオ装置を持ち運ぶ場合は、前記スピーカ部３を前記装置本体２の背面に当接させた位置とすることにより、使用時のオーディオ装置１全体の幅の半分の幅とすることができる。さらに、ＣＤ挿入扉４やＭＤ挿入扉５、前記表示部６等が、装置本体２の前面に設けられているため、前記ＣＤ挿入扉４、前記ＭＤ挿入扉５、前記表示部６等が装置本体２の高さ方向に確保され、装置本体２を確実に薄型とすることができる。したがって、上記のように、装置本体２の両側部の薄型のスピーカ部３を装置本体２の背面に当接させた状態においても、オーディオ装置１を薄型とすることができ、携帯性を向上させることができる。
以上により、オーディオ装置１の使用時の音響性を満足させながら、載置面に安定的に載置させたり、壁に掛けたりして使用することができるとともに、携帯性にも優れたオーディオ装置１とすることができる。
▲２▼ＣＤ挿入扉４やＭＤ挿入扉５が、それらの下端部を支点として上下に回動可能に取り付けられているため、前記ＣＤ挿入扉４、前記ＭＤ挿入扉５は、その上方から前方にかけて開口を発生させるべく開扉する。したがって、前記開口から再生媒体であるＣＤや再生録音媒体であるＭＤを容易に出し入れをすることができる。
▲３▼ＭＤ挿入扉５には、ＣＤ再生装置またはＭＤ再生録音装置の操作部１０が設けられているため、前記操作部１０を設けるための装置本体２の場所が節約されるとともに、前記操作部１０が装置本体２の高さ方向に確保される。これにより、装置本体２を、よりコンパクトに、縦方向により薄型とすることが可能となる。したがって前記のように、装置本体２の両側部のスピーカ部３を装置本体２の背面に当接させた状態においても、オーディオ装置１の形状を、よりコンパクトに、より薄型とすることができ、さらに携帯性に優れたオーディオ装置１とすることができる。
▲４▼スピーカ部３の装置本体２側には、一部溝３ｂが形成されている。これにより、前記スピーカ部３を装置本体２の背面に当接するべく回動させる際、前記スピーカ部３の背面の溝１６ｃに、前記取手部１６が入り込む状態となる。したがって、前記スピーカ部３と前記取手部１６とを相互に触突させることなく、前記スピーカ部３を装置本体２の背面に当接させることができる。
▲５▼前記挿入穴２０の一方には、前記取手部１６を、該取手部１６の先端部が真上を向いた位置で保持させるべく作用する突起部２１が設けられている。したがって、前記取手部１６を、該取手部１６の先端が真上を向いた位置で保持させることができる。
▲６▼ＣＤ挿入扉４下部のＣＤ挿入扉回動部４ａ、および、ＭＤ挿入扉５下部の図示しないＭＤ挿入扉回動部には、回転ばね（４ａ、ＭＤ挿入扉回動部の回転ばねは図示しない。）が備えられている。そして前記回転ばね（４ａ、ＭＤ挿入扉回動部の回転ばねは図示しない。）は、前記ＣＤ挿入扉４または前記ＭＤ挿入扉５を開扉するべく作用する。したがって、ＣＤ挿入扉開扉ボタン１１を摺動し、図示しないストッパーを解除させることによって容易に前記ＣＤ挿入扉４を開くことができる。また同様に、ＭＤ挿入扉開扉ボタン９を摺動し、図示しないストッパーを解除させることによって容易に前記ＭＤ挿入扉５を開くことができる。
▲７▼ＣＤ挿入扉４下部のＣＤ挿入扉回動装置４ａには、オイルダンパ４ｃが備えられている。そして前記オイルダンパ４ｃは、ＣＤ挿入扉開扉ボタン１１を摺動させることによって開扉するべく作動するＣＤ挿入扉回動装置４ａに対し、オイルの粘性により抵抗を与えるべく作用する。すなわち、前記ＣＤ挿入扉４を、開扉するスピードを遅らせて緩やかに開扉させることができる。
【００２８】
なお、本実施の形態においては、オーディオ装置１を載置面に載置させて音楽等を聴く場合、前記オーディオ装置１を、スピーカ部３が前記装置本体２正面とほぼ面一となった状態の、全体として薄型のオーディオ装置１を、斜め後方に傾斜させ、前記取手部１６により後方から支持させることによって載置面に安定的に載置させている。しかし、前記オーディオ装置１は、該オーディオ装置１を前記取手部１６により後方から支持させなくても、載置面に載置させることができるように、すなわち、載置面に対して垂直に載置させることができる。
【００２９】
【発明の効果】
請求項１記載の発明によれば、オーディオ装置を使用する場合においては、前記スピーカ部を前記装置本体の正面とほぼ面一とすることによって、２つのスピーカ部が所定間隔離れた位置となり、オーディオ装置の音響性が満足される。また、オーディオ装置を持ち運ぶ場合においては、前記スピーカ部を前記装置本体の背面に当接させた位置とすることにより、使用時のオーディオ装置全体の幅の半分の幅とすることができる。さらに、前記挿入扉と、前記表示部とが、装置本体の前面に設けられているため、前記挿入扉や前記表示部が装置本体の高さ方向に確保され、装置本体の形状を確実に薄型とすることができる。したがって、上記のように、装置本体の両側部の薄型のスピーカ部を装置本体の背面に当接させた状態においても、オーディオ装置を薄型とすることができる。したがって、使用時の音響性を満足させながら、携帯性にも優れたオーディオ装置とすることができる。
【００３０】
また、取手部を装置本体の背面側に回動させた上で、保持手段によって、装置本体の背面側の所定位置で回動不能に保持することにより、装置本体はその下部と取手部とによって前記載置面上で起立した状態で支持される。したがってスピーカ一体型オーディオ装置をテーブル等の載置面に安定的に載置できる。一方、取手部を装置本体の上方側まで回動させることによって、スピーカ一体型オーディオ装置を容易に携帯できる。
【００３１】
請求項２記載の発明によれば、請求項１記載の発明と同様の効果が得られるのは勿論のこと、スピーカ部を装置本体の背面に当接するべく回動させる際、前記スピーカ部の背面の溝に、前記取手部が入り込む状態となる。したがって、前記スピーカ部と前記取手部とを相互に触突させることなく、前記スピーカ部を装置本体の背面に当接させることができる。
請求項３記載の発明によれば、請求項１または２に記載の発明と同様の効果が得られることは勿論のこと、前記挿入扉は、上下に回動可能に取り付けられ、前記挿入扉の上方から前方にかけて開口を発生させるべく開扉するため、前記開口から前記再生媒体または前記再生録音媒体を容易に出し入れをすることができる。
【図面の簡単な説明】
【図１】本発明に係るオーディオ装置の、スピーカ部が装置本体の背面に当接する位置にある状態を示す図であり、（ａ）は前方からの斜視図、（ｂ）は後方からの斜視図、（ｃ）は側面図である。
【図２】本発明に係るオーディオ装置の、スピーカ部が装置本体の正面とほぼ面一となる位置にある状態を示す図であり、（ａ）は前方からの斜視図、（ｂ）は後方からの斜視図、（ｃ）は側面図である。
【図３】本発明に係るオーディオ装置の、ＣＤ、ＭＤ、をそれぞれ出し入れするための、ＣＤ挿入扉、ＭＤ挿入扉が開いた状態を示す、前方からの斜視図である。
【符号の説明】
１    オーディオ装置
２    装置本体
３    スピーカ部
６    表示部
１０  操作部
１６  取手部
【図１】
0003776733.tif 000002
【図２】
0003776733.tif 000003
【図３】
0003776733.tif 000004